(57)【要約】【課題】止水後の水滴の滴下を簡便に抑制し、水切れを良好とすることのできるシャワーヘッドを提供すること。【解決手段】散水板１７の本体部３側に位置する裏面側に、吐水部６の吐水路における流水方向に関し上流側へ突出するリブが配設され、吐水部の吐水路において、流水方向に関し散水板の上流側でかつ散水板の近くにストレーナー２５ａ、２５ｂが配設されるとともに、流水方向に関しストレーナーの上流側にストレーナー押さえ２７が配設され、ストレーナーは、リブとストレーナー押さえの間に挟持され、ストレーナーと散水板の間に水溜り用の隙間が形成されている。【選択図】図１
2011067749.tif 000002
【特許請求の範囲】
【請求項１】
内部に流水路が形成された本体部と、本体部において流水方向に関し下流側に位置する下流端部に配設された、前記流水路と連通する吐水路を有する吐水部とを備え、吐水部における吐水路の出口に、複数の散水孔が表裏を貫通して形成された散水板が配設されたシャワーヘッドにおいて、散水板の本体部側に位置する裏面側に、吐水部の吐水路における流水方向に関し上流側へ突出するリブが配設され、吐水部の吐水路において、流水方向に関し散水板の上流側でかつ散水板の近くにストレーナーが配設されるとともに、流水方向に関しストレーナーの上流側にストレーナー押さえが配設され、ストレーナーは、前記リブとストレーナー押さえの間に挟持され、ストレーナーと散水板の間に水溜り用の隙間が形成されていることを特徴とするシャワーヘッド。
【請求項２】
散水板が疎水性材料から形成されているとともに、散水板の裏面が親水性を有していることを特徴とする請求項１に記載のシャワーヘッド。
【発明の詳細な説明】
【技術分野】
【０００１】
本発明は、シャワーヘッドに関する。
【背景技術】
【０００２】
従来、止水後にシャワーヘッド内に残留した水が、水滴となって滴下するという問題があった。特に、吐水部に配設される散水板や吐水管路などの途中に配設されるストレーナーなどについて、それらに形成された孔の直径が小さい場合に発生しやすく、残留水が通過し、水切れをよくする工夫が検討されている。
【０００３】
たとえば、下記特許文献１には、散水板の孔内部に酸化チタンなどを含有する光触媒性材料をコーティングし、シャワーヘッドの中に紫外線を照射する手段を配設することや、光触媒性材料を表面に形成した金属製の針金を編んでストレーナーを作製し、外部に紫外線照射手段を設置することが記載されている。紫外線の照射によって、散水板では孔内面が、また、ストレーナーでは線条が親水化し、水の接触角が非常に小さくなり、止水後、直ちに水は広がり、孔や網目から水が流出し、水切れが良好となる。
【先行技術文献】
【特許文献】
【０００４】
【特許文献１】特開平１０−７６１８５号公報
【発明の概要】
【発明が解決しようとする課題】
【０００５】
しかしながら、上記散水板およびストレーナーでは、親水処理のために紫外線の照射が必要不可欠であり、紫外線の照射手段をシャワーヘッドの内部に組み込むか、外部に設置する必要がある。その結果、シャワーヘッドおよびその周辺の構造が複雑化したり、新たに設計しなおしたりする必要があるなど、水切れ向上が簡便に実現されるとはいいがたい。
【０００６】
本発明は、以上のとおりの事情に鑑みてなされたものであり、止水後の水滴の滴下を簡便に抑制し、水切れを良好とすることのできるシャワーヘッドを提供することを課題としている。
【課題を解決するための手段】
【０００７】
本発明は、上記の課題を解決するために、以下の特徴を有している。
【０００８】
第１の発明は、内部に流水路が形成された本体部と、本体部において流水方向に関し下流側に位置する下流端部に配設された、前記流水路と連通する吐水路を有する吐水部とを備え、吐水部における吐水路の出口に、複数の散水孔が表裏を貫通して形成された散水板が配設されたシャワーヘッドにおいて、散水板の本体部側に位置する裏面側に、吐水部の吐水路における流水方向に関し上流側へ突出するリブが配設され、吐水部の吐水路において、流水方向に関し散水板の上流側でかつ散水板の近くにストレーナーが配設されるとともに、流水方向に関しストレーナーの上流側にストレーナー押さえが配設され、ストレーナーは、前記リブとストレーナー押さえの間に挟持され、ストレーナーと散水板の間に水溜り用の隙間が形成されていることを特徴としている。
【０００９】
第２の発明は、上記第１の発明の特徴において、散水板が疎水性材料から形成されているとともに、散水板の裏面が親水性を有していることを特徴としている。
【発明の効果】
【００１０】
上記第１の発明によれば、ストレーナーがストレーナー押さえによってリブとの間に挟持され、ストレーナーと散水板の間に水溜り用の隙間が形成されているので、散水板の裏面側に水溜り用の空間を確実に形成することができる。このため、止水後に吐水部の吐水路に残る水を水溜り用の隙間に十分に溜めて保持することができ、散水孔から水滴として滴下するのを抑制することができる。止水後の水滴の滴下の抑制は、簡便に実現され、水切れは良好となる。
【００１１】
上記第２の発明によれば、上記第１の発明の効果に加え、散水板が疎水性材料から形成されているとともに、散水板の裏面が親水性を有しているので、止水後に吐水部の吐水路に残る水を散水板の裏面全体に広げて保持することができる。散水板の裏面における表面張力が低減されており、吐水部の吐水路に残る水は、止水後、散水板の裏面全体に薄く層状または膜状に広がり、散水板の裏面側に保持される。また、広がった水は、散水孔から水滴として滴下するのがより抑制される。このため、止水後に吐水部の吐水路に残る水を水溜り用の隙間に確実に溜めて保持することができ、散水孔からの水滴の滴下がより十分に抑制される。
【図面の簡単な説明】
【００１２】
【図１】本発明のシャワーヘッドの第１実施形態を示した分解斜視図である。
【図２】図１に示したシャワーヘッドの斜視図である。
【図３】図１に示したシャワーヘッドの断面図および拡大断面図である。
【図４】本発明のシャワーヘッドの第２実施形態を示した分解斜視図である。
【図５】本発明のシャワーヘッドの第３実施形態を示した分解斜視図である。
【発明を実施するための形態】
【００１３】
上記のとおり、図１は、本発明のシャワーヘッドの第１実施形態を示した分解斜視図であり、図２は、図１に示したシャワーヘッドの斜視図である。また、図３は、図１に示したシャワーヘッドの断面図および拡大断面図である。
【００１４】
第１実施形態において、シャワーヘッド１は、内部に流水路２が形成された中空な本体部３と、本体部３において図３図中に矢印で示した流水方向に関し、下流側に位置する下流端部４に配設された、流水路２と連通する吐水路５ａ、５ｂを有する吐水部６とを備えている。
【００１５】
本体部３において流水方向に関し、上流側に位置する上流端部７は、給水管Ａの端部と接続可能とされ、水道管を流れる水を、給水管Ａを通じて流水路２に供給することができるようにしている。
【００１６】
本体部３の下流端部４は、流水方向を水平方向から斜め下方に変えるように、斜め下方に延びている。このように斜め下方に延びる下流端部４は、吐水部６から噴出するシャワーを洗面化粧台などの前方に向かわせ、手洗いなどを容易に行うことができるように、また、ボウル面などにおける水の飛散を抑制することができるようにしている。
【００１７】
また、本体部３の下流端部４には、吐水部６を本体部３に接続するための受け部８が配設されている。受け部８は略円筒状の形状を有し、下流端部４の内側にパッキンなどを介在させて嵌め込まれている。受け部８の外周部は、下流端部４の内周部から少し離間して配置され、受け部８の外周部と下流端部４の内周部の間に環状溝９が形成されている。
【００１８】
受け部８において流水方向に関し、下流側に位置する下流端部には、流水方向に延びる略円筒状の吐水ソケット１０が取り付けられ、吐水ソケット１０は、本体部３の下流端部４から流水方向に突出している。吐水ソケット１０の内側および外側に吐水部６が接続され、本体部３の下流端部４に吐水部６が配設されている。
【００１９】
吐水部６は、吐水ソケット１０の外周外側に配置される散水キャップ１１と、吐水ソケット１０の内側に取り付けられる吐水プラグ１２とを有している。散水キャップ１１は、ブッシュ１３を介して本体部３の下流端部４に接続されている。
【００２０】
ブッシュ１３は、略円筒状の形状を有し、本体部３側の端部に肉薄状の脚部１４を備えている。このようなブッシュ１３は、脚部１４が環状溝９に差し込まれて本体部３の下流端部４に取り付けられ、吐水ソケット１０の外側に配置されている。また、ブッシュ１３の外周部には、流水方向に関し、下流側に位置する下流端部において、外側から内側に向かって凹んだ環状溝１５が形成されている。
【００２１】
散水キャップ１１は、キャップ状の形状を有し、円筒状の筒部１６の一端部に円環状の散水板１７が一体に配設されている。散水板１７には、複数の散水孔１８が表裏を貫通して形成されている。散水孔１８は、円環状の散水板１７と同心円状に３列として配列されている。散水キャップ１１は、パッキン１９をブッシュ１３の環状溝１５に嵌挿して、ブッシュ１３の周りに回動自在に取り付けられ、吐水ソケット１０の外周外側に配置されている。こうして、散水板１７は、散水キャップ１１の内部に位置する吐水路５ａの出口に配設されている。
【００２２】
なお、吐水路５ａは、吐水ソケット１０の内部を通じて本体部３の流水路２に連通している。
【００２３】
また、散水板１７には、本体部３の近い方に位置する裏面２０側に、吐水路５ａにおける流水方向に関し上流側へ突出するリブ２３が複数配設されてもいる。リブ２３は、円環状の散水板１７の幅方向の略中央部に散水板１７と同心円状に配置され、また、隣り合うリブ２３間の間隔を一定としている。
【００２４】
吐水プラグ１２は、略円筒状の形状を有し、吐水ソケット１０の内部に嵌入されて取り付けられている。吐水プラグ１２の内部に位置する吐水路５ｂも、吐水ソケット１０を通じて本体部３の流水路２に連通している。
【００２５】
また、吐水プラグ１２では、吐水路５ｂの出口側の端部に、外側に延在するフランジ部２４が配設されている。吐水プラグ１２を吐水ソケット１０の内部へ嵌入することによって、フランジ部２４は、散水板１７において本体部３から遠い方に位置する表面２１の内周縁部に当接し、散水キャップ１１の抜け止めとして機能し、散水キャップ１１は吐水ソケット１０と接続される。
【００２６】
なお、散水キャップ１１には、筒部１６の外周部に外側に突出するレバー２２が配設されている。レバー２２は、散水キャップ１１の回動操作を容易とするものであり、吐水部６では、レバー２２を操作しての散水キャップ１１の回動によって吐水路５ａ、５ｂからの吐水の選択が可能とされている。すなわち、散水キャップ１１の回動操作により、散水キャップ１１に接続した吐水ソケット１０が回動して流路が切り替えられると、水は、吐水プラグ１２の内部に位置する吐水路５ｂから噴出し、シャワーヘッド１は、カランとしての吐水を実現する。一方、吐水ソケット１０の回動にともない、吐水路５ｂと流水路２の連通が遮断されると、水は、吐水路５ａを通って散水孔１８から噴出し、シャワーが実現される。
【００２７】
また、散水板１７は、水をはじく疎水性材料から形成されている。本願で言及する疎水性材料には、材料それ自体が本来的に水に対する濡れ性の低い疎水性を有する場合と、疎水化のために添加剤などが配合され、材料全体において疎水性が発現される場合が含まれる。単にコーティングなどによって部分的に疎水性を付加した材料は、本願において疎水性材料には含まれない。このような疎水性材料については、金属、樹脂などの成形容易な材料から疎水性を考慮して適宜に選択することができる。疎水性材料では、水が付着すると、水滴が球状に形成される。
【００２８】
一方、散水板１７の裏面２０は、親水性を有している。このため、散水板１７の裏面２０に接触する水は、水滴になりにくく、裏面２０において層状または膜状に広がろうとする。散水板１７の裏面２０の親水性は、金属、樹脂などの本来的に疎水性を有する材料から形成されている散水板１７の裏面２０に対し親水処理を施すことによって実現することができる。親水処理には、たとえば、水との接触角が５０°以下になる塗膜を形成することのできる塗料の塗布が簡便なものとして例示される。塗料については、アルカリシリケート類を含有する無機塗料、金属アルコキシド類を含有する無機塗料、有機無機複合化塗料、表面親水化塗料などを例示することができるが、特にこれらの塗料に限定されることはない。従来公知の各種の親水性塗料が適宜に選択可能である。
【００２９】
このようなシャワーヘッド１では、散水キャップ１１の内部に位置する吐水路５ａにおいて、流水方向に関し散水板１７の上流側でかつ散水板１７の近くに２つのストレーナー２５ａ、２５ｂが、重ね合わせて配設されている。ストレーナー２５ａ、２５ｂは、円環状の形状を有する網状の部材であり、たとえば、径の細い線材を縦横に編んで形成した網目状の細孔２６を有するものや、パンチングメタルなどのように表裏を貫通する細孔２６が多数形成されたものなどが例示される。ストレーナー２５ａは、散水板１７のより直近に配置され、ストレーナー２５ｂは、ストレーナー２５ａの流水方向に関し上流側に重ね合わせて配置されている。
【００３０】
なお、吐水路５ａに配設することのできるストレーナーの枚数は２枚に限定されず、１枚または３枚以上の複数枚とすることもできる。
【００３１】
また、シャワーヘッド１では、吐水路５ａにおいて、流水方向に関しストレーナー２５ｂの上流側にストレーナー押さえ２７が配設されている。ストレーナー押さえ２７も円環状の部材であり、ストレーナー２５ｂの流水方向に関し上流側の面に接触可能とされ、ストレーナー２５ｂに対向する側の面には円形状の溝２８が形成されている。ストレーナー押さえ２７は、吐水プラグ１２の取付けにともなって、吐水路５ａにおける流水方向の上流側の面がブッシュ１３に接触し、下流側の面がストレーナー２５ｂに接触する。このとき、ストレーナー２５ａ、２５ｂは相互に密着し、ストレーナー２５ａの流水方向に関し下流側の面がリブ２３に接触する。したがって、ストレーナー２５ａ、２５ｂは、ストレーナー押さえ２７によって、散水板１７の裏面２０側に形成されたリブ２３とストレーナー押さえ２７の間に挟持される。その結果、散水板１７とストレーナー２５ａの間に、リブ２３の高さに対応する水溜り用の隙間２９が形成される。ストレーナー押さえ２７には、吐水路５ａにおける流水方向の下流側の面に溝２８が形成されているため、ストレーナー２５ａ、２５ｂをリブ２３側に押さえ付ける圧力が高くなっており、ストレーナー２５ａ、２５ｂをより効果的にリブ２３に向けて押圧し、水溜り用の隙間２９の形成を確実としている。
【００３２】
リブ２３が配設されない場合、ストレーナー２５ａは、吐水プラグ１２の取付けにともなって、流水方向の下流側の面が散水板１７の裏面２０に接触し、ストレーナー２５ａと散水板１７の間にはわずかに隙間が形成される。このわずかな隙間によって、止水後に吐水路５ａに残る水を散水板１７の裏面２０側に保持することができる。そこで、シャワーヘッド１では、リブ２３の配設によって、そのように水を保持することのできる隙間を大きくし、水を保持することのできる空間を水溜り用の隙間２９によって拡大し、水滴の滴下の抑制に有効となる水溜りを水溜り用の隙間２９に形成させることができる。
【００３３】
このように、シャワーヘッド１では、ストレーナー２５ａ、２５ｂがストレーナー押さえ２７によってリブ２３との間に挟持され、ストレーナー２５ａと散水板１７の間に水溜り用の隙間２９が形成されているので、散水板１７の裏面２０側に水溜り用の空間を確実に形成することができる。このため、止水後に吐水部６の吐水路５ａに残る水を水溜り用の隙間２９に十分に溜めて保持することができ、散水孔１８から水滴として滴下するのを抑制することができる。止水後の水滴の滴下の抑制は、簡便に実現され、水切れは良好となる。
【００３４】
また、ストレーナー２５ａ、２５ｂの配設によって、水中に含まれるゴミなどを除去することができるとともに、散水板１７と併せ、水流の調整がより良好となり、シャワーにより適した水流が得られる。
【００３５】
さらに、散水板１７が疎水性材料から形成されているとともに、散水板１７の裏面２０が親水性を有しているので、止水後に散水キャップ１１の内部の吐水路５ａに残る水を散水板１７の裏面２０に広げて保持することができる。散水板１７の裏面２０における表面張力が減少し、吐水路５ａに残る水は、止水後、散水板１７の裏面２０全体に薄く層状または膜状に広がる。また、散水板１７は疎水性材料から形成されているため、散水板１７の裏面２０に広がった水は、散水孔１８側には広がりにくくなっており、散水板１７の裏面２０に薄い層状または膜状などに保持される。その結果、散水孔１８から水滴として滴下するのがより十分に抑制され、水切れが良好となる。
【００３６】
図４は、本発明のシャワーヘッドの第２実施形態を示した分解斜視図である。
【００３７】
第２実施形態において、上記第１実施形態と共通する部分には同じ符号を付し、以下においてその説明を省略する。
【００３８】
第２の実施形態では、図１に示した円環状の形状を有するストレーナー押さえ２７が、ブッシュ１３と一体に配設され、ブッシュ１３の流水方向に関する下流側に配置されている。このように、ストレーナー押さえ２７をブッシュ１３と一体化することによって、ストレーナー２５ａ、２５ｂの挟持をより高めることができ、しかも、シャワーヘッド１の部品点数を少なくすることができ、また、部品の製造が容易となり、さらに、シャワーヘッド１の組立作業も容易となる。
【００３９】
図５は、本発明のシャワーヘッドの第３実施形態を示した分解斜視図である。
【００４０】
第３実施形態において、上記第１実施形態と共通する部分には同じ符号を付し、以下においてその説明を省略する。
【００４１】
第３の実施形態では、ストレーナー押さえ２７が、第２実施形態と同様にブッシュ１３と一体に配設されている。また、ストレーナー押さえ２７は、ストレーナー２５ａ、２５ｂをより局所的にリブ２３に押圧してストレーナー２５ａ、２５ｂの挟持力を高めている。すなわち、ストレーナー押さえ２７は、小割状に形成され、各部位２７ａが、相互に一定の間隔で配置され、ブッシュ１３の流水方向に関し下流側に突出し、吐水ソケット１０の外周外側に配置されている。このようなストレーナー押さえ２７によって、シャワーヘッド１では、水溜り用の隙間２９の形成をより確実にしている。
【００４２】
なお、本発明のシャワーヘッドは、以上の実施形態に限定されることはない。本体部および吐水部の構成および構造をはじめ、本体部および吐水部を形成する各種の部材の形状、構造などについては各種の態様が可能である。また、上記説明では水の吐出のみについて記載したが、本発明のシャワーヘッドは、湯やその他の液体の吐出も可能であることはいうまでもない。
【符号の説明】
【００４３】
１  シャワーヘッド
２  流水路
３  本体部
４  下流端部
５ａ、５ｂ  吐水路
６  吐水部
１７  散水板
１８  散水孔
２０  散水板の裏面
２３  リブ
２５ａ、２５ｂ  ストレーナー
２７  ストレーナー押さえ
２９  水溜り用の隙間
【図１】
2011067749.tif 000003
【図２】
2011067749.tif 000004
【図３】
2011067749.tif 000005
【図４】
2011067749.tif 000006
【図５】
2011067749.tif 000007